(57)【要約】【課題】既存の網戸枠に対しネットを室内側から容易に着脱でき、しかも該網戸枠に安定的に取り付け可能にした網戸の改修方法、改修網戸を提供する。【解決手段】既存の網戸枠１Ａの縦横の枠材２，３の室外側の平面部分２ｃに対する接着代８ａと、ネット張設空間に張り出すネットの取付代８ｂとを備えた補助枠８を、枠材の平面部分に接着する。各補助枠８の両端部と、隣接する補助枠の端部との間を、両者に跨るコーナー連結部材１０により連結して、枠材への連結を補強する。補助枠の取付代８ｂの室内側面に第１の面ファスナー片１２ａを接着し、一方、枠材の内周側に張設するネット１５は、各補助枠の第１の面ファスナー片に対面する部位に、ネットを挟んで第２の面ファスナー片１２ｂとカバー片１４とを固定して、枠付きネット１１とし、それを補助枠の取付代の第１の面ファスナー片に室内側から接合させて改修網戸とする。【選択図】図３
2017160628.tif 000002
【特許請求の範囲】
【請求項１】
方形に枠組みされた既存の網戸枠における四周の枠材の室外側の平面部分に接着する補助枠を、上記平面部分に接着する接着代と、該接着代から上記枠材の内側におけるネット張設空間に張り出すネットの取付代とを、一体化したものとして形成し、
上記各補助枠の取付代における室内側面に、一対の面ファスナー片の一方である第１の面ファスナー片の背面を接着により固定し、
上記各補助枠の接着代を上記枠材の平面部分に対して接着により固定すると共に、各補助枠の両端部と、それぞれ隣接する補助枠の端部との間における少なくとも上記取付代側を、両者に跨って接着されるコーナー連結部材により連結し、
一方、上記取付代に保持させて枠材の内周側に張設するネットは、各枠材における取付代相互間の大きさに適合させたものとし、該ネットにおける上記各補助枠の第１の面ファスナー片に対面する部位に配設した第２の面ファスナー片と、上記ネットを挟んで該第２の面ファスナー片に対面させたカバー片とを、相互に接着、溶着又は縫着により固定して枠付きネットとし、
上記枠付きネットにおける第２の面ファスナー片を上記各補助枠の取付代における第１の面ファスナー片に対し室内側から接合させることにより、前記既存の網戸枠を用いた改修網戸とする、
ことを特徴とする網戸の改修方法。
【請求項２】
方形に枠組みされた既存の網戸枠における四周の枠材の室外側の平面部分に接着する補助枠を、上記平面部分に接着する接着代と、該接着代から上記枠材の内側におけるネット張設空間に張り出すネットの取付代と、上記接着代と取付代との間にあって、上記枠材の一部に対して連結させる中間連結部とを、一体化したものとして形成し、
上記各補助枠の取付代における室内側面に、一対の面ファスナー片の一方である第１の面ファスナー片の背面を接着により固定し、
上記各補助枠の接着代を上記枠材の平面部分に対して接着により固定するに当たり、該補助枠の中間連結部と枠材との間に、上記枠材から上記接着代を剥ぎ取る方向の外力に対抗する強度を保持させて、上記接着代を枠材に接着固定し、
一方、上記取付代に保持させて枠材の内周側に張設するネットは、各枠材における取付代相互間の大きさに適合させたものとし、該ネットにおける上記各補助枠の第１の面ファスナー片に対面する部位に配設した第２の面ファスナー片と、上記ネットを挟んで該第２の面ファスナー片に対面させたカバー片とを、相互に接着、溶着又は縫着により固定して枠付きネットとし、
上記枠付きネットにおける第２の面ファスナー片を上記各補助枠の取付代における第１の面ファスナー片に対し室内側から接合させることにより、前記既存の網戸枠を用いた改修網戸とする、
ことを特徴とする網戸の改修方法。
【請求項３】
上記各補助枠における中間連結部の枠材に対する連結を、上記枠材の凹凸部に対する係止、上記枠材に対する圧接、或いは上記枠材との間の接着により行い、上記接着代において補助枠を枠材に対して接着により固定する、
ことを特徴とする請求項２に記載の網戸の改修方法。
【請求項４】
既存の網戸枠における四周の枠材の室外側面の内周側に既設されているネット固定溝を隠蔽するようにして、上記各補助枠を網戸枠に接着する、
ことを特徴とする請求項１〜３のいずれかに記載の網戸の改修方法。
【請求項５】
上記ネットを挟んで第２の面ファスナー片とそれに対面させたカバー片とを固定することにより構成される枠付きネットの周枠部が、可撓性を有するものとして構成され、
既存の網戸枠における縦横の枠材の室外側の平面部分に同一断面形状の補助枠を接着することにより、該網戸枠の縦横の枠材の断面形状の差異に基づいて生じる縦横の枠材におけるネット張設面のズレを、上記周枠部の可撓性により吸収させる、
ことを特徴とする請求項１〜４のいずれかに記載の網戸の改修方法。
【請求項６】
既存の網戸枠における縦横の枠材の室外側の平面部分に同一断面形状の補助枠を接着することにより、該網戸枠の縦横の枠材の断面形状の差異に基づいて生じる縦横の枠材におけるネット張設面のズレを、横の枠材とそれに接着する補助枠との間、或いは、縦の枠材に接着した補助枠とそれに接着する第１の面ファスナー片との間に、上記ズレの量に対応させた厚さのスペーサを介在させることにより解消させる、
ことを特徴とする請求項１〜４のいずれかに記載の網戸の改修方法。
【請求項７】
方形に枠組みされた網戸枠における四周の枠材の室外側の平面部分に接着する補助枠を、上記平面部分に接着する接着代と、該接着代から上記枠材の内側におけるネット張設空間に張り出すネットの取付代とを一体化したものとして形成し、
上記各補助枠の取付代における室内側面に、一対の面ファスナー片の一方である第１の面ファスナー片の背面を接着により固定し、
上記各補助枠の接着代を上記枠材の平面部分に対して接着により固定すると共に、各補助枠の両端部と、それぞれ隣接する補助枠の端部との間における少なくとも上記取付代側を、両者に跨って接着されるコーナー連結部材により連結し、
一方、上記取付代に保持させて枠材の内周側に張設するネットは、各枠材における取付代相互間の大きさに適合させたものとし、該ネットにおける上記各補助枠の第１の面ファスナー片に対面する部位に配設した第２の面ファスナー片と、上記ネットを挟んで該第２の面ファスナー片に対面させたカバー片とを、相互に接着、溶着又は縫着により固定して枠付きネットとし、
上記枠付きネットにおける第２の面ファスナー片を上記各補助枠の取付代における第１の面ファスナー片に対し室内側から接合させた、
ことを特徴とする改修網戸。
【請求項８】
方形に枠組みされた網戸枠における四周の枠材の室外側の平面部分に接着する補助枠を、上記平面部分に接着する接着代と、該接着代から上記枠材の内側におけるネット張設空間に張り出すネットの取付代と、上記接着代と取付代との間にあって、上記枠材の一部に対して連結させる中間連結部とを、一体化したものとして形成し、
上記各補助枠の取付代における室内側面に、一対の面ファスナー片の一方である第１の面ファスナー片の背面を接着剤により固定し、
上記各補助枠の中間連結部の枠材に対する連結を、上記枠材の凹凸部に対する係止、上記枠材に対する圧接、或いは上記枠材との間の接着により、枠材から接着代を剥ぎ取る方向の外力に対抗する強度を保持させて、上記各補助枠を接着代において枠材の平面部分に対し接着剤により固定し、
一方、上記取付代に保持させて枠材の内周側に張設するネットは、各枠材における取付代相互間の大きさに適合させたものとし、該ネットにおける上記各補助枠の第１の面ファスナー片に対面する部位に配設した第２の面ファスナー片と、上記ネットを挟んで該第２の面ファスナー片に対面させたカバー片とを、相互に接着、溶着又は縫着により固定して枠付きネットとし、
上記枠付きネットにおける第２の面ファスナー片を上記各補助枠の取付代における第１の面ファスナー片に対し室内側から接合させた、
ことを特徴とする改修網戸。
【請求項９】
中間連結部の枠材に対する連結を、上記枠材におけるネット固定溝の口縁にある内向き凸縁に対して該ネット固定溝内側から係止する凹凸部を中間連結部に設けて、それらの係止により行っている、
ことを特徴とする請求項８に記載の改修網戸。
【請求項１０】
上記ネットを挟んで第２の面ファスナー片とそれに対面させたカバー片とを固定することにより構成される枠付きネットの周枠部の４隅に、各隅の両側のカバー片の端部を覆って連結する連結部を備えると共に、該隅から内側のネット上に該ネットとは離間させた状態で張り出す指掛け部を備えた連結部片を取り付けている、
ことを特徴とする請求項７〜９のいずれかに記載の改修網戸。
【請求項１１】
方形に枠組みされた既存の網戸枠における四周の枠材の室外側の平面部分にそれぞれ接着する補助枠であって、上記平面部分に接着する接着代と、該接着代から上記枠材の内側におけるネット張設空間に張り出すネットの取付代とを、一体化したものとして形成してなる上記補助枠と、
上記各補助枠の取付代における室内側面に接着により固定するための一対の面ファスナー片の一方である第１の面ファスナー片と、
上記枠材の平面部分に対して接着により固定した各補助枠の両端部と、隣接する補助枠の端部との間における少なくとも上記取付代側を、両者に跨って接着により連結するコーナー連結部材と、
各枠材における取付代相互間の大きさに適合させて上記取付代間に張設するネットと、
上記ネットの四周における、上記網戸枠の四周の枠材に接着された補助枠の第１の面ファスナー片に対面する部位に接着される第２の面ファスナー片と、
ネットを挟んで上記第２の面ファスナー片にそれぞれ対面させ、ネット及び第２の面ファスナー片に対して固定するカバー片と、
を備えることを特徴とする改修網戸用キット。
【請求項１２】
方形に枠組みされた既存の網戸枠における四周の枠材の室外側の平面部分にそれぞれ接着する補助枠であって、上記平面部分に接着する接着代と、該接着代から上記枠材の内側におけるネット張設空間に張り出すネットの取付代と、上記接着代と取付代との間にあって、上記接着代を枠材の平面部分に接着したときに、上記枠材の一部に対して連結させる中間連結部とを、一体化したものとして形成してなり、該補助枠の上記中間連結部は、上記接着代の枠材への接着時に枠材の一部に係止し、或いは枠材に圧接し、或いは枠材との間を接着することにより、上記補助枠の中間連結部と枠材との間に、枠材から接着代を剥ぎ取る方向の外力に対抗する強度を保持可能にした上記補助枠と、
上記各補助枠の取付代における室内側面に接着により固定するための一対の面ファスナー片の一方である第１の面ファスナー片と、
各枠材における取付代相互間の大きさに適合させて上記取付代間に張設するネットと、
上記ネットの四周における、上記網戸枠の四周の枠材に接着された補助枠の第１の面ファスナー片に対面する部位に接着される第２の面ファスナー片と、
ネットを挟んで上記第２の面ファスナー片にそれぞれ対面させ、ネット及び第２の面ファスナー片に対して固定するカバー片と、
を備えることを特徴とする改修網戸用キット。
【発明の詳細な説明】
【技術分野】
【０００１】
本発明は、既存の網戸枠を、室内側から簡易にネットを張設可能なものに改修する網戸の改修方法、該方法により改修された改修網戸、及び該改修網戸を組み上げるための改修網戸用キットに関するものである。
【背景技術】
【０００２】
従来から一般的に行われている網戸枠へのネットの張設は、網戸枠の室外側面の枠内周に設けられているネット固定溝に対し、ネットを紐状のゴム（押さえビート）や樹脂製の押し縁と共に押し込むのが通例であり、このような網戸枠へのネットの固定は、ネットの交換や洗浄のための着脱において行う必要がある。そして、それらの網戸枠に対するネットの着脱は、網戸枠を建物のサッシ等から取り外すと共にネットを除去し、その網戸枠を屋内の広い面積の床面上に置いて、新しいネット或いは張り替えのために洗浄したネットを再度網戸枠に取り付ける作業を行う必要があり、このような作業を能率的に行うのは、特に経験を積んだものでなければ容易なことではない。また、網戸の設置場所が高層階の外壁面であるような場合には、その着脱作業等に危険が伴うことになる。
【０００３】
更に、近年は、高層階の外壁に設置される網戸の落下防止のために、該網戸を建物開口部枠に固定的に設置したり、サッシの室内側に設置するなどの配慮がなされていることから、ネットを網戸枠に室内側から取り外したり張設したりすることが必要になって、それを簡易に行える手段が提案されているので、従来から一般的に用いられている網戸枠の室外側面へネットの張設を行うものについても、網戸枠の室内側から簡易な作業でネットの着脱や交換を行えるようにすることが望まれている。
【０００４】
このような問題に対処するため、既存の網戸枠に対するネットの着脱を簡単で容易にできるようにしたものが、特許文献１において提案されている。この既提案のものは、網戸框６における室外側面に設けられているネット取付部（ネット固定溝）６０に組み込むことができるような断面が略Ｚ字状のアタッチメント７を、同文献の図２中に矢印で示されているように配設して、上記ネット取付部６０に接着叉はネジ止めにより固定し、そのアタッチメント７の垂下片７０の室内側面に取り付けた第２ファスナー５に対し、網部材２の四周に第１ファスナー３を固着した防虫ネット１を室内側から着脱可能にしたものである。
【０００５】
上記特許文献１の防虫ネットの取付構造は、該防虫ネットを網戸框の室内側から面ファスナーにより取り付けるようにした点で、既存の網戸框を利用しながら、それに対する室内面側からの防虫ネットの着脱を簡単で容易なものにしているので、その点では望ましいものになっている。つまり、既存の網戸框を利用することから、防虫ネットを取り付けた網戸框を建物開口部に取り付ける取付構造について配慮する必要がなく、既存の網戸框が備えている構成をそのまま利用するために、従来の網戸におけるネットの交換に似た作業で、網戸の改修と防虫ネットの交換を行うことができるものである。
【０００６】
しかしながら、その改変された防虫ネットの取付構造自体は、網戸の設置場所が高層階の外壁面であるような場合の該網戸の落下防止対策に沿わないものになっている。
即ち、上記防虫ネットの取付構造では、上述したように、既存の網戸框６の室外側面に設けられているネット取付部６０に、断面が略Ｚ字状のアタッチメント７を組み込むに当たり、該ネット取付部６０に対してアタッチメント７の一端を接着叉はネジ止めにより固定し、そのアタッチメント７の垂下片７０の室内側面に取り付けた第２ファスナー５に対して、網部材２の四周に設けた第１ファスナー３を室内側から押し付けて取り付けるようにしている。
【０００７】
このような既存の網戸框における溝状のネット取付部６０は、一般的に、その内面が数ミリ幅程度の非常に狭い幅しか持たない溝状であり、その狭いネット取付部６０にアタッチメント７の一端を片持ち梁状に接着叉はネジ止めにより固定しても、該アタッチメントが安定的に取り付けられるとは到底考えられない。しかも、上記アタッチメントの垂下片７０に対する防虫ネットの取り付けは、該垂下片７０の室内側面に取り付けた第２ファスナー５に対し、網部材２の四周に設けた第１ファスナー３を室内側から押し付けて取り付けるため、その取付作業時に第１ファスナー３に対して室内側から作用させる押付力が、アタッチメントの垂下片７０に対して該アタッチメント７を取付部において引き起こす方向の力として作用することになり、第２ファスナー５に対する第１ファスナー３の取り付けを確実にするためにその押付力を大きくすると、それだけアタッチメント７の取付部が損傷して脱落しやすくなる。
【０００８】
更に、上述のように網戸を室内側から容易に着脱可能にすることは、室内にいる居住者がその網戸におけるネットの交換や洗浄だけでなく、日常生活において網戸に触れる機会が多くなるのは当然であり、それに伴って、上記アタッチメント７の固定が不安定化することになり、それがアタッチメント７を含む防虫ネットの落下事故の原因になる可能性がある。
【先行技術文献】
【特許文献】
【０００９】
【特許文献１】特開２００６−０９７２４２号公報
【発明の概要】
【発明が解決しようとする課題】
【００１０】
本発明の技術的課題は、既存の網戸枠を利用して、網戸枠に対しネットを室内側から容易に着脱できるような構造とし、しかも、該ネットを網戸枠に固定する補助枠と共に、既存の網戸枠に対して安定的に取り付けることを可能にした、網戸の改修方法、改修網戸、及び改修網戸用キットを提供することにある。
【課題を解決するための手段】
【００１１】
上記課題を解決するため、本発明によれば、方形に枠組みされた既存の網戸枠における四周の枠材の室外側の平面部分に接着する補助枠を、上記平面部分に接着する接着代と、該接着代から上記枠材の内側におけるネット張設空間に張り出すネットの取付代とを、一体化したものとして形成し、上記各補助枠の取付代における室内側面に、一対の面ファスナー片の一方である第１の面ファスナー片の背面を接着により固定し、上記各補助枠の接着代を上記枠材の平面部分に対して接着により固定すると共に、各補助枠の両端部と、それぞれ隣接する補助枠の端部との間における少なくとも上記取付代側を、両者に跨って接着されるコーナー連結部材により連結し、一方、上記取付代に保持させて枠材の内周側に張設するネットは、各枠材における取付代相互間の大きさに適合させたものとし、該ネットにおける上記各補助枠の第１の面ファスナー片に対面する部位に配設した第２の面ファスナー片と、上記ネットを挟んで該第２の面ファスナー片に対面させたカバー片とを、相互に接着、溶着又は縫着により固定して枠付きネットとし、上記枠付きネットにおける第２の面ファスナー片を上記各補助枠の取付代における第１の面ファスナー片に対し室内側から接合させることにより、前記既存の網戸枠を用いた改修網戸とすることを特徴とする第１の網戸の改修方法が提供される。
【００１２】
上述した本発明の第１の網戸の改修方法のように、各補助枠の両端部とそれぞれ隣接する補助枠の端部との間における少なくとも上記取付代側を、両者に跨って接着されるコーナー連結部材によって連結する構成は、網戸枠の四周に配置する補助枠自体をコーナー連結部材によって連結することにより、四周の網戸枠に固定した補助枠を一枚の盤状に形成することに相当し、しかも、それを網戸枠として組み立てられている四周の枠材の室外側の平面部分に接着すると、上記補助枠のそれぞれが相互に盤状に連結された状態で網戸枠に十分な強度で支持されることになり、前記特許文献１のように、ネットを取り付けるべきアタッチメントの一端が網戸框の狭い溝状のネット取付部に片持ち梁状に取り付けられる場合と比較すれば、強度的に非常にすぐれていることは明らかである。
【００１３】
また、上記課題を解決するため、本発明によれば、方形に枠組みされた既存の網戸枠における四周の枠材の室外側の平面部分に接着する補助枠を、上記平面部分に接着する接着代と、該接着代から上記枠材の内側におけるネット張設空間に張り出すネットの取付代と、上記接着代と取付代との間にあって、上記枠材の一部に対して連結させる中間連結部とを、一体化したものとして形成し、上記各補助枠の取付代における室内側面に、一対の面ファスナー片の一方である第１の面ファスナー片の背面を接着により固定し、上記各補助枠の接着代を上記枠材の平面部分に対して接着により固定するに当たり、該補助枠の中間連結部と枠材との間に、上記枠材から上記接着代を剥ぎ取る方向の外力に対抗する強度を保持させて、上記接着代を枠材に接着固定し、一方、上記取付代に保持させて枠材の内周側に張設するネットは、各枠材における取付代相互間の大きさに適合させたものとし、該ネットにおける上記各補助枠の第１の面ファスナー片に対面する部位に配設した第２の面ファスナー片と、上記ネットを挟んで該第２の面ファスナー片に対面させたカバー片とを、相互に接着、溶着又は縫着により固定して枠付きネットとし、上記枠付きネットにおける第２の面ファスナー片を上記各補助枠の取付代における第１の面ファスナー片に対し室内側から接合させることにより、前記既存の網戸枠を用いた改修網戸とすることを特徴とする第２の網戸の改修方法が提供される。
【００１４】
本発明に係る上記第２の網戸の改修方法の好ましい実施形態においては、上記各補助枠における中間連結部の枠材に対する連結を、上記枠材の凹凸部に対する係止、上記枠材に対する圧接、或いは上記枠材との間の接着により行い、上記接着代において補助枠を枠材に対して接着により固定される。
【００１５】
上記第２の網戸の改修方法のように、上記各補助枠を枠材に対して接着するに当たり、該補助枠の中間連結部と枠材との間の連結を、凹凸部の係止、粗面相互の摩擦圧接、或いは接着等によって行い、上記枠材から上記接着代を剥ぎ取る方向の外力に対抗する強度を保持させておくことは、補助枠を網戸枠に対して安定的に取り付ける構成として非常に有効なものであり、特に、後述するように、既存の枠材におけるネット固定溝の口縁に一般的に設けられているところの内向き凸縁に対して、ネット固定溝内側から係止する凹凸部を中間連結部に設けて、それらの全長に亘る係止により中間連結部と枠材との連結を行うのが、補助枠と枠材との強度を高めるために有効である。
【００１６】
また、本発明に係る上記網戸の改修方法の好ましい実施形態においては、既存の網戸枠における四周の枠材の室外側面の内周側に既設されているネット固定溝を隠蔽するようにして、上記各補助枠を該網戸枠に接着することが望ましく、これにより、既存の網戸枠を使用しても、恰も新しい網戸枠の如き外観を呈するように改修することができる。
【００１７】
既存の網戸枠においては、一般的に、アルミニウム型材等で形成される網戸枠の縦横の枠材のコーナー部における連結が、縦の枠材に設けた嵌入空間に横の枠材端部を密に嵌入して行われる例が多いことから、縦の枠材の見込みが、横の枠材の見込みに比して、枠材の肉厚の２倍程度大きく形成されることが多い。そのため、既存の網戸枠においては、縦及び横の枠材の各室外側に設けられているネット固定溝に取り付けられるネットの張設面と、該縦及び横の枠材における室外側の平面部分との間の寸法には、上記枠材の肉厚に相当する寸法差が存在することになる。
【００１８】
本発明に係る上記網戸の改修方法においては、基本的に、網戸枠の縦横の枠材のいずれにおいても、枠材の室外側の平面部分を基準として補助枠を接着しているために、そこに接着する補助枠として断面形状が同一のものを用いると、必然的に縦及び横の枠材におけるネットの張設面が、枠材の肉厚である１ミリ程度のズレを生じることになる。このズレを解消するためには、網戸枠の枠材に接着する補助枠として、縦横の枠材に接着するものを、上記ズレを見込んだ別異のものとすればよいが、そのような精度を要求される部分ではないので、以下に述べる補助枠への枠付きネットの取付段階で上記ズレを吸収させることが望まれる。
【００１９】
本発明に係る網戸の改修方法の好ましい実施形態においては、上記網戸枠に室内側からのネットの着脱を可能にすると共に、上記ネット張設面のズレの問題を解消するため、上記ネットを挟んで第２の面ファスナー片とそれに対面させたカバー片とを固定することにより構成される枠付きネットの周枠部が、可撓性を有するものとして構成され、既存の網戸枠における縦横の枠材の室外側の平面部分に同一断面形状の補助枠を接着することにより、該網戸枠の縦横の枠材の断面形状の差異に基づいて生じる縦横の枠材におけるネット張設面のズレを、上記周枠部の可撓性により吸収するものとして構成している。
【００２０】
また、本発明に係る網戸の改修方法の他の好ましい実施形態においては、既存の網戸枠における縦横の枠材の室外側の平面部分に同一断面形状の補助枠を接着することにより、該網戸枠の縦横の枠材の断面形状の差異に基づいて生じる縦横の枠材におけるネット張設面のズレを、横の枠材とそれに接着する補助枠との間、或いは、縦の枠材に接着した補助枠とそれに接着する第１の面ファスナー片との間に、上記ズレの量に対応させた厚さのスペーサを介在させることにより解消させるものとして構成している。
【００２１】
更に、前記課題を解決するため、本発明によれば、方形に枠組みされた網戸枠における四周の枠材の室外側の平面部分に接着する補助枠を、上記平面部分に接着する接着代と、該接着代から上記枠材の内側におけるネット張設空間に張り出すネットの取付代とを一体化したものとして形成し、上記各補助枠の取付代における室内側面に、一対の面ファスナー片の一方である第１の面ファスナー片の背面を接着により固定し、上記各補助枠の接着代を上記枠材の平面部分に対して接着により固定すると共に、各補助枠の両端部と、それぞれ隣接する補助枠の端部との間における少なくとも上記取付代側を、両者に跨って接着されるコーナー連結部材により連結し、一方、上記取付代に保持させて枠材の内周側に張設するネットは、各枠材における取付代相互間の大きさに適合させたものとし、該ネットにおける上記各補助枠の第１の面ファスナー片に対面する部位に配設した第２の面ファスナー片と、上記ネットを挟んで該第２の面ファスナー片に対面させたカバー片とを、相互に接着、溶着又は縫着により固定して枠付きネットとし、上記枠付きネットにおける第２の面ファスナー片を上記各補助枠の取付代における第１の面ファスナー片に対し室内側から接合させたことを特徴とする第１の改修網戸が提供される。
【００２２】
また、前記課題を解決するため、本発明によれば、方形に枠組みされた網戸枠における四周の枠材の室外側の平面部分に接着する補助枠を、上記平面部分に接着する接着代と、該接着代から上記枠材の内側におけるネット張設空間に張り出すネットの取付代と、上記接着代と取付代との間にあって、上記枠材の一部に対して連結させる中間連結部とを、一体化したものとして形成し、上記各補助枠の取付代における室内側面に、一対の面ファスナー片の一方である第１の面ファスナー片の背面を接着剤により固定し、上記各補助枠の中間連結部の枠材に対する連結を、上記枠材の凹凸部に対する係止、上記枠材に対する圧接、或いは上記枠材との間の接着により、枠材から接着代を剥ぎ取る方向の外力に対抗する強度を保持させて、上記各補助枠を接着代において枠材の平面部分に対し接着剤により固定し、一方、上記取付代に保持させて枠材の内周側に張設するネットは、各枠材における取付代相互間の大きさに適合させたものとし、該ネットにおける上記各補助枠の第１の面ファスナー片に対面する部位に配設した第２の面ファスナー片と、上記ネットを挟んで該第２の面ファスナー片に対面させたカバー片とを、相互に接着、溶着又は縫着により固定して枠付きネットとし、上記枠付きネットにおける第２の面ファスナー片を上記各補助枠の取付代における第１の面ファスナー片に対し室内側から接合させたことを特徴とする第２の改修網戸が提供される。
【００２３】
本発明に係る上記改修網戸の好ましい実施形態においては、中間連結部の枠材に対する連結を、上記枠材におけるネット固定溝の口縁にある内向き凸縁に対して該ネット固定溝内側から係止する凹凸部を中間連結部に設けて、それらの係止により行うものとして構成される。この構成は、前述したように、補助枠の中間連結部と枠材との全長に亘る係止によりそれらの強度を高めるために非常に有効なものである。
【００２４】
上述した網戸の改修方法及び改修網戸によれば、既存の網戸枠における四周の枠材の室外側の平面部分に補助枠の接着代を接着するようにしているので、補助枠に広い接着面積を容易に確保できて枠材に対する補助枠の安定的な固定を確保することができ、しかも、各補助枠の両端部と、それぞれ隣接する補助枠の端部との間における少なくとも取付代側を、両者に跨って接着されるコーナー連結部材により連結し、或いは、上記補助枠における接着代と取付代との間にある中間連結部を網戸枠の枠材に連結して、該補助枠におけるネットの取付代に、補助枠を網戸枠の枠材から外側に剥ぎ取る方向の力が作用するのを抑制するようにしているので、上記枠材に対する補助枠の接着代の接着をより安定化させることができる。
【００２５】
本発明に係る上記改修網戸の他の好ましい実施形態においては、上記ネットを挟んで第２の面ファスナー片とそれに対面させたカバー片とを固定することにより構成される枠付きネットの周枠部の４隅に、各隅の両側のカバー片の端部を覆って連結する連結部を備えると共に、該隅から内側のネット上に該ネットとは離間させた状態で張り出す指掛け部を備えた連結部片を取り付けたものとして構成される。この指掛け部は、網戸枠に対する枠付きネットの着脱等の操作を容易にするものである。
【００２６】
また、前記課題を解決するため、本発明によれば、方形に枠組みされた既存の網戸枠における四周の枠材の室外側の平面部分にそれぞれ接着する補助枠であって、上記平面部分に接着する接着代と、該接着代から上記枠材の内側におけるネット張設空間に張り出すネットの取付代とを、一体化したものとして形成してなる上記補助枠と、上記各補助枠の取付代における室内側面に接着により固定するための一対の面ファスナー片の一方である第１の面ファスナー片と、上記枠材の平面部分に対して接着により固定した各補助枠の両端部と、隣接する補助枠の端部との間における少なくとも上記取付代側を、両者に跨って接着により連結するコーナー連結部材と、各枠材における取付代相互間の大きさに適合させて上記取付代間に張設するネットと、上記ネットの四周における、上記網戸枠の四周の枠材に接着された補助枠の第１の面ファスナー片に対面する部位に接着される第２の面ファスナー片と、ネットを挟んで上記第２の面ファスナー片にそれぞれ対面させ、ネット及び第２の面ファスナー片に対して固定するカバー片と、を備えることを特徴とする第１の改修網戸用キットが提供される。
【００２７】
更に、前記課題を解決するため、本発明によれば、方形に枠組みされた既存の網戸枠における四周の枠材の室外側の平面部分にそれぞれ接着する補助枠であって、上記平面部分に接着する接着代と、該接着代から上記枠材の内側におけるネット張設空間に張り出すネットの取付代と、上記接着代と取付代との間にあって、上記接着代を枠材の平面部分に接着したときに、上記枠材の一部に対して連結させる中間連結部とを、一体化したものとして形成してなり、該補助枠の上記中間連結部は、上記接着代の枠材への接着時に枠材の一部に係止し、或いは枠材に接触し、或いは枠材との間を接着することにより、上記補助枠の中間連結部と枠材との間に、枠材から接着代を剥ぎ取る方向の外力に対抗する強度を保持可能にした上記補助枠と、上記各補助枠の取付代における室内側面に接着により固定するための一対の面ファスナー片の一方である第１の面ファスナー片と、各枠材における取付代相互間の大きさに適合させて上記取付代間に張設するネットと、上記ネットの四周における、上記網戸枠の四周の枠材に接着された補助枠の第１の面ファスナー片に対面する部位に接着される第２の面ファスナー片と、ネットを挟んで上記第２の面ファスナー片にそれぞれ対面させ、ネット及び第２の面ファスナー片に対して固定するカバー片とを備えることを特徴とする第２の改修網戸用キットが提供される。
【００２８】
上記第１及び第２の改修網戸用キットは、既存の網戸を使用してネットの交換や洗浄に当惑している網戸使用者が、簡単な切断用工具や、当該キットに添えられた接着剤等を用いて、従来の網戸におけるネットの交換よりも容易に、既存の網戸を使い勝手の良好な網戸に改修すると同時にネットの交換を行うことができるものである。
【００２９】
上述したように、既存の網戸枠を、その室内側からネットを容易且つ安全に張設可能にして使用可能にするのは、該既存の網戸枠自体が、従来から極めて一般的に汎用されていることからしても、建物開口部やサッシ等に対して安定的に保持される構成を備えるものであり、それを有効に活用し、ネットの交換や洗浄のための着脱を網戸枠の室内側から容易に、且つ安全に行うことを可能にすることは、特に、網戸自体の着脱が危険ないしは困難な場所にある場合や、ネットの着脱に不慣れな者のネットの交換や洗浄を実施可能にするものである。
【発明の効果】
【００３０】
以上に詳述した本発明によれば、既存の網戸枠を利用して、既存の網戸枠を利用して、網戸枠に対しネットを室内側から容易に着脱できるような構造とし、しかも、該ネットを網戸枠に固定する補助枠と共に、既存の網戸枠に対して安定的に取り付けることを可能にした、網戸の改修方法、改修網戸、及び改修網戸用キットを提供することにある。
【図面の簡単な説明】
【００３１】
【図１】本発明に基づいて改修網戸とする既存の網戸枠の構成を一部分解して示す斜視図である。
【図２】上記既存の網戸枠に対して室内側からネットを取付可能にするための第１の補助枠を固定する状況を示す第１実施例の正面図である。
【図３】上記網戸枠における一対の縦枠間に上記第１の補助枠を介してネットを張設した状態を示す要部拡大断面図である。
【図４】上記既存の網戸枠に対して第２の補助枠を固定する状況を示す第２実施例の要部拡大断面図である。
【図５】第２の既存の網戸枠を用いた場合の第３実施例の要部横断面図である。
【図６】第３の既存の網戸枠を用いた場合の第４実施例の要部横断面図である。
【図７】第４の既存の網戸枠を用いた場合の第５実施例の要部横断面図である。
【図８】上記補助枠に取り付ける枠付きネットの構成を示すための該枠付きネットの分解斜視図である。
【発明を実施するための形態】
【００３２】
本発明は、既存の網戸枠を利用して、該網戸枠に対しネットを室内側から容易に着脱できるような構造とし、しかも、該ネット及びそれを網戸枠に固定する補助枠を、既存の網戸枠に対して安定的に取り付けることを可能にしたものである。以下においては、本発明に係る改修網戸について、網戸の改修方法を含めて説明する。
【００３３】
まず、図１を参照して、縦横の枠材２，３により方形に枠組みされた上記既存の網戸枠１Ａの構成例について説明する。該既存の網戸枠１Ａは、一般的に、アルミニウム型材等で形成される網戸枠１Ａの縦横の枠材２，３を、それらの両端部を連結するコーナー部４において、縦の枠材２の両端部に設けた嵌入空間２ａに対して、横の枠材３の端部３ａを嵌入し、横の枠材３内に形成しているビスポケット３ｂに対して、縦の枠材２の内壁２ｂに設けたビス孔を通してビスを螺挿するなどの手段で、縦横の枠材を各コーナー部４において連結することにより、方形に枠組みされたものである。そのため、このように枠組みされた網戸枠１Ａにおいては、縦の枠材２の見込みが、横の枠材３の見込みに比して、枠材の肉厚の２倍程度大きく形成されることが多いが、必ずしも全てがそのような構成であるとは限らない。
【００３４】
そして、上記網戸枠１Ａにおいては、通常、ネットを張設するために網戸枠１Ａの室外側面の枠内周にネット固定溝６ａを形成する溝部材６が一体的に設けられ、このネット固定溝６ａに対して、ネットの周縁を紐状のゴム（押さえビート）や弾性変形が可能な合成樹脂製の押し縁と共に押し込むことにより、ネットが固定されるものである。該ネット固定溝６ａは、その内部にネットと共に押し込んだ上記ビート或いは押し縁が外力の作用により簡単に離脱しないように、その口縁に一対の内向き凸縁６ｂが設けられている。
【００３５】
本発明に係る改修網戸は、上述した既存の網戸枠１Ａ等を利用し、該網戸枠１Ａに対してネットを室内側から容易に着脱できるように改修しようとするもので、図３に示す第１実施例では、同図に示す第１の補助枠８を該網戸枠１Ａに保持させるために、縦の枠材２の室外側の平面部分２ｃに対し、接着剤９により補助枠８を接着した状態を示している。上記第１の補助枠８は、上記枠材２の平面部分２ｃに接着する接着代８ａと、該接着代から上記枠材２の内側におけるネット張設空間に張り出すネット１５の取付代８ｂとを一体化した長尺型材として形成されたものである。
【００３６】
図３では、上記補助枠８が方形に枠組みされた網戸枠１Ａの縦の枠材２に接着したものとして図示しているが、図２に示すように、網戸枠１Ａを構成する四周の縦横の枠材２，３における平面部分２ｃ、３ｃに、それぞれ同じ断面形状の補助枠８が接着されるのは勿論である。しかしながら、上記補助枠８を既存の網戸枠１Ａに保持させるために、その接着代８ａを上記縦横の枠材２，３の平面部分２ｃ，３ｃに対して接着により固定するだけでは、ネットを取り付けるべき補助枠８の一端が網戸枠１Ａに片持ち梁状に取り付けられていることから、上記補助枠８の接着時における作業環境の善悪や、作業者の接着技術の習熟程度に応じて、必ずしも適切な接着が行われるとは限らない。しかも、それらの補助枠８に取り付けた後述する枠付きネット１１が、何らかの弾みで室内側から強く押されることもあり得ることであり、その場合には、該補助枠８が枠付きネット１１と共に室外に落下するという危険な状態になる可能性もある。
【００３７】
そのため、枠材２，３に接着した各補助枠８については、既存の網戸枠における四周の枠材の室外側の平面部分２ｃ、３ｃに広い接着面積を確保しながらも、枠材２，３に対する補助枠８の安定的な固定を確保するために、更なる補強手段を考慮するべきであり、ここでは、第１の補強手段として、図２及び図３において第１実施例として示しているところの、各補助枠８の両端部と、それぞれ隣接する補助枠８の端部との間における少なくともネットの取付代８ｂ側を、両補助枠８に跨って接着するコーナー連結部材１０により連結する手段を、また、第２の補強手段として、図４〜７を参照し、第２実施例として以下に説明するところの、上記補助枠８における接着代８ａと取付代８ｂとの間に中間連結部８ｃを設けた第２の補助枠８を用いて、該中間連結部８ｃを網戸枠１Ａの枠材２，３に連結するようにした第２の補強手段を、選択的に採用し、或いは、上記第１及び第２の補強手段を併用するようにしている。
【００３８】
上記第１の補強手段として用いるコーナー連結部材１０は、図２及び図３に示すように各補助枠８の端部をそれぞれ隣接する補助枠８の端部と接着により連結するものである。この構成は、網戸枠の四周に配置する補助枠８自体を全体として一枚の盤状になるように形成することに相当し、しかも、それが網戸枠として組み立てられている四周の枠材の室外側の平面部分に接着されているため、上記補助枠８が相互に盤状に連結された状態で、強固に枠組みされている網戸枠に十分な強度で支持されることになり、前記特許文献１のように、ネットを取り付けるべきアタッチメントが網戸框の溝状のネット取付部に片持ち梁状に取り付けられる場合と比較すれば、強度的に非常にすぐれていることは明らかである。
【００３９】
なお、上記コーナー連結部材１０は、補助枠８間の連結強度を高め得る部材であればよく、板状、或いは可撓なシート状でも、また、必要部分に塗着できる接着剤等の粘着性材料で固化後に必要な強度を発揮するものでも差し支えない。なお、このコーナー連結部材１０は、補助枠８の両端を全面的に連結するものである必要もなく、少なくとも上記補助枠８におけるネットの取付代８ｂ側を主体として連結するものであれば、補助枠の補強に十分に有効である。
【００４０】
上述のようにして各補助枠８が網戸枠１Ａに取り付けられた後、或いは、その取り付け前に、各補助枠８におけるネットの取付代８ｂの室内側面には、図３に示すように、そこにネット１５を取り付けるための一対の面ファスナー片の一方である第１の面ファスナー片１２ａの背面が、接着剤１３ａにより固定され、該第１の面ファスナー片１２ａを利用して網戸枠１Ａにネット１５を張設することになるが、ここで、図８を参照して、予め、上記網戸枠１Ａに取り付ける枠付きネット１１について説明する。
【００４１】
上記取付代８ｂに保持させて枠材２，３の内周側に張設するネット１５は、網戸枠の各枠材における取付代８ｂ相互間の大きさに適合させたものとして準備され、該ネット１５の周辺部を挟んで第２の面ファスナー片１２ｂとそれに対面させたカバー片１４とを、相互に接着剤１３ｂによる接着、或いは溶着、縫着等で固定することにより構成される枠付きネット１１とし、その周枠部に設けた上記第２の面ファスナー片１２ｂを、前記補助枠８の取付代８ｂの室内側面に固定した第１の面ファスナー片１２ａに対し、室内側から接合させるものである。また、上記枠付きネット１１の周枠部の４隅には、その隅部の両側のカバー片１４の端部を覆うように接着する連結部１６ａを備えると共に、該隅部から内側のネット１５上に、該ネットとは離間させた状態で張り出す指掛け部１６ｂを備えた連結部片１６を取り付けている。この指掛け部１６ｂは、網戸枠１Ａに対する枠付きネット１１の着脱等の操作を容易にするものである。
【００４２】
上記縦横の枠材２，３に同一断面形状の補助枠８を固定する場合、図１を参照して前述したように、網戸枠における縦の枠材２の見込みが、横の枠材３の見込みに比して枠材の肉厚の２倍程度大きく形成され、一方、既存の網戸枠における縦横の枠材２，３のネット固定溝６ａにより張設されるネットの張設面は、同一平面上に位置するように設定されているため、縦横の枠材２，３の室外側の平面部分２ｃ，３ｃに接着した補助枠８におけるネットの取付代８ｂが、同一平面上に位置することなく、その位置に枠材の厚み程度のズレが生じることになる。このズレの解消のためには、上記補助枠８として、縦横の枠材用に当該ズレが生じないような断面形状のものを用いてもよいが、その場合にはコストや網戸の改修時の作業性において問題が生じる可能性があるので、上述のように同じ断面形状の補助枠８を用いてズレの解消を行うことが望まれる。
【００４３】
上記ズレの解消のためには、上記枠付きネット１１の周枠部が可撓性を有するものとして構成し、即ち、上記ネット１５を挟んで固定される第２の面ファスナー片１２ｂとカバー片１４とを共に可撓性のあるものとし、この周枠部の可撓性により、上記縦横の枠材におけるネット張設面のズレを吸収させるのが望ましい。また、上記ネット張設面のズレは、横の枠材３とそれに接着する補助枠８との間の接着面、或いは、縦の枠材２に接着した補助枠８とそれに接着する第１の面ファスナー片１２ａとの間の接着面に、上記ズレの量に対応させた厚さのスペーサを介在させることによっても解消させることができる。
【００４４】
次に、上記網戸枠における枠材２，３に接着した各補助枠８の安定的な固定を確保するための前記第２の補強手段、つまり、上記補助枠８における接着代８ａと取付代８ｂとの間に中間連結部８ｃを設けた図４の第２の補助枠８を用いる第２実施例について、図４を参照して説明する。なお、前述したように、この第２の補強手段を採用する場合に、上述した第１の補強手段をも併用することができ、つまり、図２及び図３を参照して説明したように、縦横の枠材に接着した各補助枠８の両端部を隣接する補助枠８の端部とコーナー連結部材１０により連結しておくこともできる。
【００４５】
図４によって以下に説明する第２実施例では、網戸枠自体は第１実施例に関連して説明したところと変わるところがないが、当該網戸枠１Ａにおける四周の枠材２，３の室外側の平面部分２ｃ，３ｃに接着する補助枠８を、上記平面部分２ｃ，３ｃに接着する接着代８ａと、該接着代から上記枠材の内側におけるネット張設空間に張り出すネットの取付代８ｂと、上記接着代８ａと取付代８ｂとの間にあって、上記枠材の一部に対して連結させる中間連結部８ｃとを、一体化したものとして形成している点で大きな差異がある。各補助枠８を接着代８ａにおいて枠材２，３の平面部分２ｃ，３ｃに対し接着剤９により固定し、各補助枠８の取付代８ｂに対して第１の面ファスナー片１２ａを接着している点や、枠付きネット１１の構成も第１実施例の場合と変わるところがない。
【００４６】
上記各補助枠８における中間連結部８ｃの枠材２，３に対する連結は、該枠材の凹凸部に対する係止、該枠材に対する圧接、或いは該枠材との間の接着により、枠材２，３から接着代８ａを剥ぎ取る方向の外力に対抗する強度を保持させるように補強するものであり、特に、図４に示す第２実施例では、網戸枠１Ａの枠材における溝部材６の口部に設けられている内向き凸縁６ｂに対してネット固定溝６ａの内側から係止する凹凸部８ｄを中間連結部８ｃに設けて、しかも、補助枠８における中間連結部８ｃが枠材における溝部材６の口部の凸縁６ｂに対して圧接される状態にして補助枠８の接着代８ａを枠材に対して接着剤９で接着することができるので、高強度な連結を行うことができる。また、この構成は、補助枠８の中間連結部８ｃと枠材２，３とを全長に亘って係止させることになるのでそれらの連結強度を高めるために非常に有効なものである。
【００４７】
また、本発明に係る改修網戸及び網戸の改修方法においては、既存の網戸枠における四周の枠材２，３の室外側面の内周側に既設されているネット固定溝６ａを隠蔽するようにして、上記補助枠８を該網戸枠に接着することが望ましく、これにより、既存の網戸枠を使用しても、恰も新しい網戸枠の如き外観を呈するように改修することができる。
【００４８】
図５〜図７は、第２〜第４の既存の網戸枠１Ｂ〜１Ｄを用いて網戸の改修を行う場合の概要を示す第３〜第５実施例であり、既存の網戸枠には断面形状が多様な各種形態のものが存在するが、比較的単純な形態の補助枠８を用いて、多種類の網戸の改修を行えることがわかる。なお、上記図５〜図７の構成は、些細な形態において相違するが、第１及び第２実施例と比較して大きな差異がないので、それらの図中に、第１実施例において説明した符号を付してその構成等についての説明を省略する。
【００４９】
更に、本発明においては、上述した改修網戸を比較的簡単に組み上げることができ、しかも、既存の多様な網戸枠に対して適合できるように構成されているので、ユーザー自身が組み上げる改修網戸用キットとして提供することができる。
そのキットの内容としては、方形に枠組みされた既存の網戸枠における四周の枠材の室外側の平面部分にそれぞれ接着する補助枠８の長尺型材であって、上記平面部分に接着する接着代８ａと、該接着代から上記枠材の内側におけるネット張設空間に張り出すネットの取付代ｂとを一体化したものとして形成してなる上記補助枠８、上記各補助枠８の取付代８ｂにおける室内側面に接着により固定するための一対の面ファスナー片の一方である第１の面ファスナー片１２ａと、上記枠材の平面部分２ｃ，３ｃに対して接着により固定した各補助枠８の両端部と、隣接する補助枠の端部との間を両者に跨って接着により連結するコーナー連結部材１０と、各枠材における取付代相互間の大きさに適合させて上記取付代間に張設するネット１５と、ネットの四周において上記第１の面ファスナー片１２ａに対面する部位に取り付けられる第２の面ファスナー片と、ネットを挟んで上記第２の面ファスナー片に対して固定するカバー片等を主体とし、それにある程度の説明書を付加することにより、実用的な第１の改修網戸用キットを提供することができる。
【００５０】
また、本発明によれば、上記改修網戸用キットにおける補助枠に代えて、上記平面部分２ｃ，３ｃに接着する接着代８ａと、該接着代から上記枠材の内側におけるネット張設空間に張り出すネットの取付代８ｂと、上記接着代と取付代との間にあって、上記接着代を枠材の平面部分に接着したときに、上記枠材の一部に対して連結させる中間連結部８ｃとを一体化した補助枠を含む第２のキットも、上記第１の改修用キットと同様に実用的なものとして提供することができる。
【００５１】
上記第１及び第２の改修網戸用キットは、既存の網戸を使用してネットの交換や洗浄に当惑している網戸使用者が、簡単な切断用工具や、当該キットに添えられた接着剤等を用いて、従来の網戸におけるネットの交換よりも容易に、既存の網戸を使い勝手の良好な網戸に改修すると同時にネットの交換を行うことができるものである。
【００５２】
上述したように、既存の網戸枠を、その室内側からネットを容易且つ安全に張設可能にして使用可能にするのは、該既存の網戸枠自体が、従来から極めて一般的に汎用されていることからしても、建物開口部やサッシ等に対して安定的に保持される構成を備えるものであり、それを有効に活用し、ネットの交換や洗浄のための着脱を網戸枠の室内側から容易に、且つ安全に行うことを可能にすることは、特に、網戸自体の着脱が危険ないしは困難な場所にある場合や、ネットの着脱に不慣れな者のネットの交換や洗浄を実施可能にするものである。
【符号の説明】
【００５３】
１Ａ    網戸枠
２      縦の枠材
２ｃ，３ｃ    平面部分
３      横の枠材
６ａ    ネット固定溝
８      補助枠
８ａ    接着代
８ｂ    取付代
８ｃ    中間連結部
１０      コーナー連結部材
１１      枠付きネット
１２ａ    第１の面ファスナー片
１２ｂ    第２の面ファスナー片
１４      カバー片
１５      ネット
【図１】
2017160628.tif 000003
【図２】
2017160628.tif 000004
【図３】
2017160628.tif 000005
【図４】
2017160628.tif 000006
【図５】
2017160628.tif 000007
【図６】
2017160628.tif 000008
【図７】
2017160628.tif 000009
【図８】
2017160628.tif 000010
【手続補正書】
【提出日】平成28年9月21日(2016.9.21)
【手続補正１】
【補正対象書類名】図面
【補正対象項目名】図８
【補正方法】変更
【補正の内容】
【図８】
2017160628.tif 000011